(57)【特許請求の範囲】
【請求項１】
シース管が埋設された複数のプレキャスト床版を架設する際に、前記複数のプレキャスト床版のシース管端部間に配設されるシールジョイントにおいて、
複数の環状の弾性体が環状の補強体を介して接合一体化され、
前記シールジョイントの一側端部の弾性体は、他の弾性体よりも硬度が低く、かつ撥水性を有する連続気泡構造からなり、
前記一側端部の弾性体よりも硬度の高い他の弾性体は、独立気泡構造からなり、
前記硬度の高い他側端部の弾性体のプレキャスト床版に固定される端面には接着層が設けられ、前記硬度が低い一側端部の弾性体のプレキャスト床版に当接する端面には接着層が設けられていないことを特徴とするプレキャスト床版連結用シールジョイント。
【請求項２】
前記硬度が低い一側端部の弾性体の厚みは、硬度が高い他の弾性体の全厚みよりも薄いことを特徴とする請求項１に記載のプレキャスト床版連結用シールジョイント。
【請求項３】
前記硬度が低い一側端部の弾性体のプレキャスト床版に当接する端面における内径は、前記硬度が高い他の弾性体の最小内径よりも大きいことを特徴とする請求項１または２に記載のプレキャスト床版連結用シールジョイント。
【請求項４】
前記硬度の高い他側端部の弾性体のプレキャスト床版に固定される端面の外径が、前記硬度が低い一側端部の弾性体の最大外径よりも大きいことを特徴とする請求項１から３の何れか一項に記載のプレキャスト床版連結用シールジョイント。
【発明の詳細な説明】
【技術分野】
【０００１】
本発明は、プレキャスト床版連結用シールジョイントに関する。
【背景技術】
【０００２】
従来、橋梁などにおける床版の架設工法として、床版を現場で打設する現場施工方法に代えて、工場で製造したプレキャスト床版を現場に搬入して施工する架設工法が行われるようになった。
【０００３】
プレキャスト床版を用いる架設工法では、図１０に示すように、内部にシース管６１が埋設された複数のプレキャスト床版６０を、前記シース管６１が直列となるようにして配設すると共に、前記複数のプレキャスト床版６０におけるシース管端部６２間に、図１１に示すような筒形状の弾性体からなるシールジョイント６５を配設している。そして、前記シース管６１及び前記シールジョイント６５に鋼線７１を挿通し、前記鋼線７１の一端を固定して鋼線７１の他端を引っ張ることにより複数のプレキャスト床版６０を締め付け、これによって隣り合うプレキャスト床版６０，６０同士を接近させ、さらに、前記プレキャスト床版６０の位置を微調整してプレキャスト床版６０を正しい位置に配置した後、前記プレキャスト床版６０間にコンクリートを流し込んでいる。
【０００４】
前記シールジョイント６５は、前記複数のプレキャスト床版６０のシース管端部６２間をシールし、前記プレキャスト床版６０間に流し込まれたコンクリートがシース管６１内に入り込んで無駄に消費されるのを防止したり、コンクリートがシース管６１内に入り込むことによってプレキャスト床版６０間のコンクリートが不足したりするのを防いでいる。
【０００５】
しかし、前記複数のプレキャスト床版６０の配設時、前記シールジョイント６５は、図１２の（１２−Ａ）に示すように隣り合う一方のプレキャスト床版６０Ａのシース管６１の端部に両面テープ等の粘着剤や接着剤で固定され、その状態で他方のプレキャスト床版６０Ｂを上方から降ろしてプレキャスト床版６０Ａに接近させ、さらに上下左右に動かして位置の微調整が行われるため、その際にシールジョイント６５がプレキャスト床版６５Ｂで押されたり擦られたりすることによって、図１２の（１２−Ｂ）のように捩れたり、傾いたり、外れたりすることがある。前記捩れはシールジョイントの硬度が低い場合に発生し易く、一方、前記傾きや外れはシールジョイントの硬度が高い場合に発生し易かった。前記捩れや傾きあるいは外れが発生した場合には、作業者が手作業で直してシールジョイント６５を正規の状態にする必要があり、しかもその作業時に再びシールジョイントが捩れたり、傾いたりすることがあるため、作業に手間取る問題があった。
【０００６】
前記捩れや傾きなどを生じ難くするため、硬度の異なる複数の環状弾性体を接合したシールジョイント、あるいは複数の環状弾性体を環状のプラスチックシートを介して接合したシールジョイントが提案されている。
しかし、複数の環状弾性体を接合した従来のシールジョイントにあっては、シール性能が充分でなかったり、プレキャスト床版の位置微調整時にプレキャスト床版と接する面の滑りが悪く、シールジョイントの捩れや位置修正が必要となった場合、シールジョイントの捩れ等の修正作業に手間取ったりする問題がある。
【先行技術文献】
【特許文献】
【０００７】
【特許文献１】実公平６−１９６０３号公報
【特許文献２】特開２００７−０４６２６２号公報
【発明の概要】
【発明が解決しようとする課題】
【０００８】
本発明は前記の点に鑑みなされたものであって、プレキャスト床版の配設時にシールジョイントに捩れや倒れを生じ難く、かつシール性が良好で、さらにプレキャスト床版の位置微調整時にシールジョイントの捩れや位置修正作業が容易なプレキャスト床版連結用シールジョイントの提供を目的とする。
【課題を解決するための手段】
【０００９】
請求項１の発明は、シース管が埋設された複数のプレキャスト床版を架設する際に、前記複数のプレキャスト床版のシース管端部間に配設されるシールジョイントにおいて、複数の環状の弾性体が環状の補強体を介して接合一体化され、前記シールジョイントの一側端部の弾性体は、他の弾性体よりも硬度が低く、かつ撥水性を有する連続気泡構造からなり、前記一側端部の弾性体よりも硬度の高い他の弾性体は、独立気泡構造からなり、前記硬度の高い他側端部の弾性体のプレキャスト床版に固定される端面には接着層が設けられ、前記硬度が低い一側端部の弾性体のプレキャスト床版に当接する端面には接着層が設けられていないことを特徴とする。
【００１０】
請求項２の発明は、請求項１において、前記硬度が低い一側端部の弾性体の厚みは、硬度が高い他の弾性体の全厚みよりも薄いことを特徴とする。
【００１１】
請求項３の発明は、請求項１または２において、前記硬度が低い一側端部の弾性体のプレキャスト床版に当接する端面における内径は、前記硬度が高い他の弾性体の最小内径よりも大きいことを特徴とする。
【００１２】
請求項４の発明は、請求項１から３の何れか一項において、前記硬度の高い他側端部の弾性体のプレキャスト床版に固定される端面の外径が、前記硬度が低い一側端部の弾性体の最大外径よりも大きいことを特徴とする。
【発明の効果】
【００１３】
請求項１の発明によれば、シールジョイントは、一側端部の弾性体の硬度が他の弾性体よりも低くされ、硬度の高い他側の弾性体のプレキャスト床版に固定される端面に接着層が設けられているため、プレキャスト床版の架設時には、硬度の高い弾性体側が接着層によって一方のプレキャスト床版に固定される。その後、シールジョイントの硬度の低い一側端部の弾性体に他方のプレキャスト床版を接近させて該他方のプレキャスト床版の位置微調整が行われる。その際、シールジョイントは、硬度の低い一側端部の弾性体がプレキャスト床版によって押されたり、擦られたりしても、硬度の高い弾性体側でプレキャスト床版に固定されているため、硬度の低い一側端部の弾性体で主に変形し、シールジョイント全体が倒れたり外れたりすることを防ぐことができる。さらにシールジョイントに捻れの力が加わっても、弾性体間の補強体によってシールジョイントが補強されているため、シールジョイントの捻れを抑えることができる。
【００１４】
さらに、請求項１の発明によれば、シールジョイントは、一側端部の弾性体が撥水性を有する連続気泡構造からなり、他の弾性体が独立気泡構造からなるため、打設したコンクリートの水分が弾性体を通ってシールジョイント内に漏出し難く、シール性が高くなる。さらに、シールジョイントの周囲の空気は一側端部の弾性体が連続気泡構造からなるため、該一側端部の弾性体を通ってシールジョイント内に進入し、さらにシールジョイントと接しているプレキャスト床版のシース管を通って外部へ排出されるため、コンクリートの打設時にシールジョイントの周囲に空気溜まりを生じ難く、コンクリートの充填不良を防ぐことができる。
【００１５】
請求項２の発明によれば、シールジョイントは、硬度が低い一側端部の弾性体の厚みが、硬度が高い他の弾性体の全厚みよりも薄くされているため、プレキャスト床版の位置微調整時に変形する部分が少なくなり、シールジョイントの位置修正作業を一層容易に行うことができる。
【００１６】
請求項３の発明によれば、相対的に硬度の低い一側端部の弾性体が上下左右方向のいずれに変形した場合でも、鋼線の通る中心孔の径を狭めにくくでき、鋼線を通しやすくすることができる。
【００１７】
請求項４の発明によれば、鋼線を通す中心孔の内径を確保した状態で、床版との接着面積を大きくできるので、シールジョイントを安定して接着できて、倒れたり外れたりしにくくできる。
【図面の簡単な説明】
【００１８】
【図１】本発明の実施形態１に係るシールジョイントの斜視図である。
【図２】同シールジョイントの断面図である。
【図３】同シールジョイントの分解斜視図である。
【図４】実施形態２に係るシールジョイントの断面図である。
【図５】実施形態２に係るシールジョイントの作用を示す断面図である。
【図６】実施形態２に係るシールジョイントの他の場合を示す断面図である。
【図７】実施形態３に係るシールジョイントの断面図である。
【図８】実施形態３に係るシールジョイントの他の場合を示す断面図である。
【図９】実施形態４に係るシールジョイントの正面図、９Ａ矢視図、９Ｂ−９Ｂ断面図である。
【図１０】プレキャスト床版架設工法施工時のプレキャスト床版を示す平面図である。
【図１１】従来のシールジョイントの斜視図である。
【図１２】プレキャスト床版架設時のシールジョイントの傾き・倒れを示す断面図である。
【発明を実施するための形態】
【００１９】
以下、本発明の実施形態について説明する。図１〜図３に示す実施形態１のシールジョイント１０は、図１０に示したシールジョイント６５と同様に、シース管６１が埋設された複数のプレキャスト床版６０を架設する際に、複数のプレキャスト床版６０のシース管６１の端部間に配設されるもので、複数の環状の弾性体１１、１５、１７が環状の補強体２１を介して接合一体化されたものである。本実施形態１では、一側端部の弾性体１１と中間の弾性体１５と他側端部の弾性体１７が、環状の補強体２１を介して接着剤で接合一体化されている。さらに、前記他側端部の弾性体１７のプレキャスト床版に固定される端面には接着層２５が設けられ、一方、前記一側端部の弾性体１１のプレキャスト床版に当接する端面（すなわち自由端の端面）１２には接着層が設けられていない。なお、前記シールジョイント１０における一側及び他側は、シールジョイント１０の長さ方向Ｌにおける一方の側と他方の側をいう。
【００２０】
前記一側端部の弾性体１１は、他の中間の弾性体１５及び他側端部の弾性体１７よりも硬度（２５％圧縮硬さ；ＪＩＳ  Ｋ６４００−２：２００４  Ｄ法）が低いもので構成される。前記硬度は、２５％圧縮荷重が５〜２５ｋＰａであることが好ましい。前記２５％圧縮荷重が５ｋＰａ未満の場合には、形状保持性が不足してシール不良を生じるおそれがある。一方、２５ｋＰａを超えると、硬すぎるためにプレキャスト床版の位置微調整時にプレキャスト床版で擦られたり押されたりした場合に、シールジョイント１０の全体が倒れたり、傾いたりし易くなる。
【００２１】
また、前記一側端部の弾性体１１は、撥水性を有する連続気泡構造のものが好ましい。前記一側端部の弾性体１１が撥水性を有することにより、打設したコンクリートの水分が一側端部の弾性体１１を通ってシールジョイント１０内に漏出し難く、シール性が高くなる。さらに、前記一側端部の弾性体１１が連続気泡構造からなることにより、コンクリート打設時にシールジョイント１０の周囲の空気が一側端部の弾性体１１からシールジョント１０内に進入し、さらにプレキャスト床版のシース管を通って外部へ排出されるため、コンクリートの打設時にシールジョイントの周囲に空気溜まりを生じ難く、コンクリートの充填不良を防ぐことができる。
【００２２】
前記一側端部の弾性体１１の厚み（長さ方向Ｌの寸法）は、３〜５０ｍｍが好ましく、特に８〜１８ｍｍが好ましい。厚みが薄くなると、プレキャスト床版との密着性が悪くなってシール性に劣るようになり、一方、厚みが大になるとプレキャスト床版の位置微調整時に捩れ易くなる。前記一側端部の弾性体１１の一例として、外径６０ｍｍ、内径４０ｍｍ、厚み１０ｍｍの場合を挙げる。
前記一側端部の弾性体１１の材質としては、撥水性を発揮するダイマー酸ジステアリルが添加された軟質ポリウレタンフォームが好ましい。
【００２３】
前記中間の弾性体１５及び他側端部の弾性体１７は、前記一側端部の弾性体１１よりも硬度（２５％圧縮硬さ）が高い独立気泡構造のものとされる。前記中間の弾性体１５及び他側端部の弾性体１７の硬度は、２５％圧縮硬さが２９〜９４ｋＰａであることが好ましい。２５％圧縮荷重が２９ｋＰａ未満の場合には、プレキャスト床版の位置微調整時にプレキャスト床版と前記一側端部の弾性体１１が接触して擦られたり押された際に、前記中間の弾性体１５及び他側端部の弾性体１７まで変形し易くなってシールジョイント１０の全体が捩れたりするようになり、その後の修正に手間取るようになる。一方、２５％圧縮荷重が９４ｋＰａを超える場合には、前記中間の弾性体１５及び他側端部の弾性体１７が硬くなりすぎるため、シールジョイント１０によるシール性が劣るようになる。また、前記中間の弾性体１５及び他側端部の弾性体１７が独立気泡構造からなることによって、打設したコンクリートの水分が前記中間の弾性体１５及び他側端部の弾性体１７を通ってシールジョイント１０内に漏出し難く、シール性が高くなる。前記中間の弾性体１５及び他側端部の弾性体１７の材質としては、ゴムスポンジが好適である。
【００２４】
前記中間の弾性体１５及び他側端部の弾性体１７の厚みは、それぞれ３〜５０ｍｍが好ましく、特に８〜１８ｍｍが好ましい。厚みが薄くなると、シールジョイント１０の長さ（厚み）を確保するために、弾性体の数を増やす必要があり、シールジョイント１０のコストが嵩むようになる。一方、厚みが大になると、プレキャスト床版の位置微調整時に前記中間の弾性体１５及び他側端部の弾性体１７においても捩れ易くなる。前記中間の弾性体１５及び他側端部の弾性体１７の一例として、外径６０ｍｍ、内径４０ｍｍ、厚み１０ｍｍの場合を挙げる。
また、前記硬度が低い一側端部の弾性体１１の厚みは、硬度が高い他の弾性体の全厚み、すなわち本実施形態では前記中間の弾性体１５と他側端部の弾性体１７の厚みの合計よりも薄くするのが好ましい。厚みをこのように設定することにより、プレキャスト床版の位置微調整時にシールジョイント１０が変形する部分、すなわち一側端部の弾性体１１の部分の割合が少なくなり、一側端部の弾性体１１の部分に捩れ等を生じた場合の修正作業を一層容易に行うことができる。
【００２５】
前記補強体２１は、前記シールジョイント１０の捻れを生じ難くするものであって、前記一側端部の弾性体１１、中間の弾性体１５及び他側端部の弾性体１７と略同様の外径及び内径の環状体からなる。前記補強体２１の材質は、良好な耐水性及び補強性などの点からプラスチックシートからなるものが好ましい。プラスチックシートとしては、例えばポリプロピレン、ポリエチレン、塩化ビニル樹脂等を挙げることができる。またプラスチックシートの厚みは適宜とされるが、０．２〜１．０ｍｍ程度を挙げることができる。また、前記環状体からなる補強体２１は、プラスチックシートを環状に打ち抜いたものが好適である。
【００２６】
前記の各弾性体１１、１５、１７と前記補強体２１の接合は、溶着や接着剤等、公知の接合方法によって行われる。接着剤の場合は、前記弾性体１１、１５、１７と前記補強体２１の材質に応じて最適なものが選択される。特に、アクリル系１液タイプの接着剤は、ポリウレタンフォーム、及びゴムスポンジの何れの場合にも好適なものである。
【００２７】
前記シールジョイント１０は、プレキャスト床版への接着のため、硬度の高い前記他側端部の弾性体１７のプレキャスト床版に固定される端面に接着層２５が設けられている。前記接着層２５の種類は接着剤や粘着剤などシールジョイントを床版側面に固着できるものであれば限定されないが、特には両面粘着テープからなるものが作業性等の点で好ましい。なお、前記接着層２５として両面粘着テープを用いる場合、両面粘着テープにおけるプレキャスト床版への接着面には保護用剥離紙を積層しておき、使用時に保護用剥離紙を剥がすようにする。
一方、前記硬度の低い前記一側端部の弾性体１１のプレキャスト床版に当接する端面１２には、接着層が設けられていない。これは、前記硬度の低い前記一側端部の弾性体１１は、プレキャスト床版の位置微調整時にプレキャスト床版と接触するため、端面１２に接着層が存在するとプレキャスト床版の位置微調整が困難となるからである。また、前記硬度の低い一側端部の弾性体１１は、柔軟性があるため変形が可能で、接着や粘着を行わなくても十分なシール性を有しているためである。
【００２８】
このようにしてなる前記シールジョイント１０は、プレキャスト床版の架設時に、隣り合う一方のプレキャスト床版のシース管の端部に前記他側端部の弾性体１７の接着層２５によって固定される。その状態で他方のプレキャスト床版を上方から降ろして一方のプレキャスト床版に近づけ、さらに上下左右に動かして隣り合うプレキャスト床版のシース管及び前記シールジョイント１０の中心を略一直線にする。
【００２９】
そして、前記プレキャスト床版のシース管及び前記シールジョイント１０に鋼線を一連に挿通し、前記鋼線を引っ張ることにより、隣り合うプレキャスト床版同士を接近させ、さらにその後にプレキャスト床版の位置微調整が行われる。その際、前記シールジョイント１０の一側端部の弾性体１１がプレキャスト床版で擦られたり、押されたりする。しかし、前記シールジョイント１０の一側端部の弾性体１１が他の弾性体よりも硬度が低いため、主に一側端部の弾性体１１で変形し、全体が倒れたり、外れたりすることがない。さらに、前記一側端部の弾性体１１は表面の摩擦抵抗が低いため、プレキャスト床版の擦れにより捩れ難い。また、前記シールジョイント１０の一側端部の弾性体１１に捩れ等が発生した場合には、針金等を用いて一側端部の弾性体１１の捩れ等を容易に修正することができる。
【００３０】
その後、プレキャスト床版間にコンクリートが流し込まれる。その際、プレキャスト床版間におけるシース管の端部間がシールジョイント１０でシールされるため、コンクリートがシース管の端部からシース管内に侵入するのを防ぐことができる。また、前記一側端部の弾性体１１が撥水性を有し、かつ前記中間の弾性体１５及び他側端部の弾性体１７が独立気泡構造からなるため、コンクリートの水分が前記一側端部の弾性体１１、中間の弾性体１５及び他側端部の弾性体１７を通ってシールジョイント１０内に漏出するのが防止される。さらに、前記シールジョイント１０の一側端部の弾性体１１が連続気泡構造からなるため、シールジョイント１０周囲の空気が一側端部の弾性体１１を通ってシールジョイント１０内に進入し、シールジョイント１０及びシース管を通って排出されるため、シールジョイント１０の周囲に空気溜まりを生じ難く、空気溜まりによるコンクリートの充填不良を生じ難い。なお、本発明のシールジョイントは、弾性体の数が３個に限られず、３個以上であってもよい。
【００３１】
前記実施形態においては、各環状の弾性体及び環状の補強体の内径および外径は略同一の円筒状としたが、必要に応じて各々の外径、内径を変更した実施形態を次に示す。
（実施形態２）
図４に示すシールジョイント１０Ａのように、３つの環状弾性体１１、１５、１７および２つの環状補強体２１の外径は同一に設定して、硬度の低い一側端部の環状弾性体１１における少なくともプレキャスト床版に当接する端面（自由端１３の端面）の内径ｄ１を、前記硬度が高い他の弾性体１５、１７の最小内径ｄ２よりも大きく設定する。このようにすれば、相対的に柔軟な一側端部の弾性体１１が、図５に示すように、上下左右方向のいずれに変形した場合でも、鋼線の通る中心孔３３の径を狭め難くでき、鋼線を通しやすくすることができる。なお、前記一側端部の弾性体１１は、前記のように全体の肉厚を薄くするように円筒状に内径ｄ１を大きくしても良いし、図６に示すシールジョイント１０Ｂのように床版に当接する端面（自由端１３の端面）１２において内径ｄ１が最大となるように外方へ向けて拡開したテーパー状や、内径を階段状（図示せず）に拡開させても良い。
【００３２】
（実施形態３）
図７に示すシールジョイント１０Ｃのように、３つの環状弾性体１１、１５、１７および２つの環状補強体２１の内径は同一に設定して、硬度の高い他側端部の環状弾性体（接着層側の環状弾性体）１７の外径Ｄ３を、硬度が低い一側端部の弾性体１１の最大外径Ｄ１より大きく設定して、その大きな外径Ｄ３に整合する接着層２５を設けてもよい。なお、図示の例では、硬度の高い他側端部の環状弾性体（接着層側の環状弾性体）１７の外径Ｄ３は、その他の弾性体１１、１５の外径Ｄ１より大に設定されている。このようにすることで、鋼線を通す中心孔３３の内径を確保した状態で、前記環状弾性体１７と床版との接着面積を大きくできるので、シールジョイントを安定して接着でき、倒れたり外れたりしにくくでき、その上、相対的に硬度の高い弾性体１７と床版６０間のシール性を向上できる。また、前記他側端部の弾性体１７は、前記のように、全体厚みが厚くなるように円筒状に外径Ｄ３を大きくしても良いし、図８に示すシールジョイント１０Ｄのように、接着層側端部において最大外径となるようにテーパー状や階段状（図示せず）に外径Ｄ３を大きくしても良い。
【００３３】
（実施形態４）
図９に示すシールジョイント１０Ｅのように、３つの環状弾性体１１、１５、１７および２つの環状補強体２１の断面を略同一の楕円の円筒状としてもよい。すなわち、シールジョイント１０Ｅの全体が楕円筒状に成形されて、床版表面に対して平行方向（左右方向）の内外径を長くなるように設定して床版に接着配置されてもよい。このように構成することで、床版表面と平行方向（左右方向）への断面二次モーメントが大きくなるので、床版をシールジョイント１０Ｅに擦れる様に左右にずらしながら架設する際にシールジョイントの変形を減らすことができ、また、シールジョイントの上下に打設されるコンクリートの厚みを厚くできて床版間の接合強度を確保できる。なお、単純に環状体１１、１５、１７の外径を大きくしてもシールジョイントの変形を減らすことはできるが、そうした場合、床版間に打設するコンクリート量が減ってしまい床版間の接合強度が低下する虞がある。本実施形態のように、環状体１１、１５、１７を楕円の円筒状とすることで、コンクリートの打設量を確保しながらシールジョイント１０Ｅ全体の硬度を向上できる。
【００３４】
上記の実施形態２〜４については、各々別々に実施しても良いし、複数併用することもできる。例えば、３つの環状弾性体のうち、硬度の高い他側端部の環状弾性体の一つの（接着層側の環状弾性体）外径Ｄ３を、実施形態３の図７のように硬度が低い一側端部の弾性体１１の最大外径Ｄ１より大きく設定し、かつ、硬度の低い一側端部の環状弾性体のプレキャスト床版に当接する端面（自由端の端面）の内径ｄ１を実施形態２の図４のように硬度が高い他の弾性体１５、１７の最小内径ｄ２よりも大きく設定する。このようにすれば、実施形態２と実施形態３の両方の効果を発現できる。
【実施例】
【００３５】
・実施例１（実施形態１の実施例）
以下の構成からなる実施例１のシールジョイントを作成した。前記一側端部の弾性体１１を、密度１４０ｋｇ／ｃｍ３、２５％圧縮荷重５ｋＰａ、撥水剤としてダイマー酸ジステアリルが添加された軟質ポリウレタンフォーム（品名：ＮＦＥ−ＦＳＳ、株式会社イノアックコーポレーション製）、外径６０ｍｍ、内径４０ｍｍ、厚み１０ｍｍで構成し、前記中間の弾性体１５及び他側端部の弾性体１７を、密度１９０ｋｇ／ｃｍ３、２５％圧縮荷重６１．９ｋＰａの独立気泡構造のゴムスポンジ（品名：Ｃ−４３０５、イノアックコーポレーション製）、外径６０ｍｍ、内径４０ｍｍ、厚み１０ｍｍで構成した。前記補強体２１は、ポリプロピレンシート（品名：＃３１０３、アイシート工業製）、外径６０ｍｍ、内径４０ｍｍ、厚み１．０ｍｍで構成した。各弾性体１１、１５、１７と前記補強体２１の接合は、クロロプレンゴム系１液タイプの接着剤（品名：イノアックボンドＰＥ１０６、イノアックコーポレーション製）で行った。また、前記他側端部の弾性体１７の端面の接着層２５は、両面粘着テープ（品名：両面テープ  ＩＮＯＡＣ−４３０、イノアックコーポレーション製）で構成した。
【００３６】
・実施例２（実施形態２の実施例）
図４における弾性体１１の内径ｄ１を５０ｍｍとし、他の構成については実施例１と同一にして図４と同様の構成からなる実施例２のシールジョイントを作成した。
・実施例３（実施形態２の他の実施例）
図６における弾性体１１の内径を自由端の端面の内径ｄ１が５０ｍｍとなるテーパー状とし、他の構成については実施例１と同一にして図６と同様の構成からなる実施例３のシールジョイントを作成した。
【００３７】
・実施例４（実施形態３の実施例）
図７における弾性体１７の外径Ｄ３を７０ｍｍとし、他の構成については実施例１と同一にして図７と同様の構成からなる実施例４のシールジョイントを作成した。
・実施例５（実施形態３の他の実施例）
図８における弾性体１７の外径を、接着層側端部の外径Ｄ３が７０ｍｍの最大となるテーパー状とし、他の構成については実施例１と同一にして図８と同様の構成からなる実施例５のシールジョイントを作成した。
・実施例６（実施形態４の実施例）
図９における弾性体１１、１５、１７を、外径が長径７０ｍｍ、短径６０ｍｍ、内径が長径４５ｍｍ、短径３５ｍｍの楕円の円筒状とし、補強体２１を、外径が長径７０ｍｍ、短径６０ｍｍ、内径が長径４５ｍｍ、短径３５ｍｍの楕円形とし、他の構成については実施例１と同一にして図９と同様の構成からなる実施例６のシールジョイントを作成した。
【００３８】
前記実施例１〜６のシールジョイントを用いてプレキャスト床版間の架設作業を行ったところ、シールジョイントの捩れが少なく、前記一側端部の弾性体１１の捩れ修正等の作業も容易であった。
【符号の説明】
【００３９】
１０、１０Ａ、１０Ｂ、１０Ｃ、１０Ｄ、１０Ｅ  シールジョイント
１１  一側端部の弾性体
１５  中間の弾性体
１７  他側端部の弾性体
２１  補強体
２５  接着層
【図１】
0005951346.tif 000002
【図２】
0005951346.tif 000003
【図３】
0005951346.tif 000004
【図４】
0005951346.tif 000005
【図５】
0005951346.tif 000006
【図６】
0005951346.tif 000007
【図７】
0005951346.tif 000008
【図８】
0005951346.tif 000009
【図９】
0005951346.tif 000010
【図１０】
0005951346.tif 000011
【図１１】
0005951346.tif 000012
【図１２】
0005951346.tif 000013